(57)【要約】      （修正有）【課題】短時間に複数回の衝撃を受けた後において保証可能な防水性能の判定を行う防水機器を提供する。【解決手段】筐体を構成する第１部材と、筐体を構成し、第１部材と接続される第２部材と、第１部材と第２部材との間に配置され水密状態を保つための水密部材と、衝撃の大きさに関する値を検出する衝撃検出部３３と、衝撃を受けた方向及び衝撃部位を特定する特定部３２と、特定された方向及び衝撃部位に基づいて、衝撃部位における水密部材の変形度合いを検出する変形検出部３３と、衝撃検出部により第１の衝撃による衝撃の大きさに関する値が検出された後、筐体が安定状態となるまでの間に、衝撃検出部により第２の衝撃による衝撃の大きさに関する値が検出された場合に、第１の衝撃による変形検出部の第１の出力及び第２の衝撃による変形検出部の第２の出力に基づいて保証可能な防水性能の程度を判定する防水判定部３２とを備える【選択図】図２
2014235389.tif 000002
【特許請求の範囲】
【請求項１】
筐体を構成する第１部材と、
前記筐体を構成し、前記第１部材と接続される第２部材と、
前記第１部材と前記第２部材との間に配置され水密状態を保つための水密部材と、
前記筐体が衝撃を受ける際に、前記衝撃の大きさに関する値を検出する衝撃検出部と、
前記衝撃の大きさに関する値に基づいて前記筐体が衝撃を受けた方向及び衝撃部位を特定する特定部と、
前記特定部により特定された前記方向及び前記衝撃部位に基づいて、前記衝撃部位における前記水密部材の変形度合いを検出する変形検出部と、
前記衝撃検出部により第１の衝撃による前記衝撃の大きさに関する値が検出された後、前記筐体が安定状態となるまでの間に、前記衝撃検出部により第２の衝撃による衝撃の大きさに関する値が検出された場合に、前記第１の衝撃による前記変形検出部の第１の出力及び前記第２の衝撃による前記変形検出部の第２の出力に基づいて保証可能な防水性能の程度を判定する防水判定部と
を備えることを特徴とする防水機器。
【請求項２】
前記衝撃の大きさに関する値が閾値を超えた場合に前記筐体が衝撃を受けたと判定する衝撃判定部を備えることを特徴とする請求項１記載の防水機器。
【請求項３】
前記防水判定部は、前記第１の衝撃による影響を考慮した防水判定基準を用いて前記第２の衝撃を判定することを特徴とする請求項１または２記載の防水機器。
【請求項４】
前記第１の衝撃による影響は、前記第１の衝撃と前記第２の衝撃との時間間隔を含むことを特徴とする請求項３記載の防水機器。
【請求項５】
前記衝撃検出部は、第１センサと第２センサとを備え、
前記特定部は、前記第１センサ及び前記第２センサが設置された位置と、前記第１センサ及び前記第２センサによりそれぞれ衝撃が検出される際の時間差とに基づいて前記筐体が衝撃を受けた方向及び衝撃部位を特定することを特徴とする請求項１〜４の何れか一項に記載の防水機器。
【請求項６】
前記衝撃検出部及び前記変形検出部は、加速度センサであることを特徴とする請求項１〜５の何れか一項に記載の防水機器。
【請求項７】
筐体を構成する第１部材と、
前記筐体を構成し、前記第１部材と接続される第２部材と、
前記第１部材と前記第２部材との間に配置され水密状態を保つための水密部材と、
前記筐体が衝撃を受ける際に、前記衝撃の大きさに関する値を検出する複数のセンサを備える衝撃検出部と、
前記複数のセンサのそれぞれによって前記衝撃の大きさに関する値が検出される際の時間差に基づいて前記筐体が衝撃を受けた方向及び衝撃部位を特定する特定部と、
前記特定部により特定された前記方向及び前記衝撃部位に基づいて、前記衝撃部位における前記水密部材の変形度合いを検出する変形検出部と、
前記衝撃による前記変形検出部の出力に基づいて保証可能な防水性能の程度を判定する防水判定部と
を備えることを特徴とする防水機器。
【請求項８】
前記衝撃の大きさに関する値が閾値を超えた場合に前記筐体が衝撃を受けたと判定する衝撃判定部を備えることを特徴とする請求項７記載の防水機器。
【請求項９】
前記衝撃検出部は、２つの加速度センサからなることを特徴とする請求項７または８記載の防水機器。
【発明の詳細な説明】
【技術分野】
【０００１】
本発明は、防水機器に関するものである。
【背景技術】
【０００２】
水中においても使用可能なカメラが知られている（例えば、特許文献１参照）。
【先行技術文献】
【特許文献】
【０００３】
【特許文献１】特開２００９−２５８３７２号公報
【発明の概要】
【発明が解決しようとする課題】
【０００４】
しかし、このカメラにおいては、カメラが衝撃を受けた後の防水性能は保証されておらず、特に、カメラが落下し、バウンドした場合等、短時間に複数回の衝撃を受けた後の防水性能を保証することは難しかった。さらに、衝撃を受けた後の防水性能を保証することができるカメラを安価に製造することが求められる。
本発明の目的は、短時間に複数回の衝撃を受けた後において保証可能な防水性能の判定を行う防水機器を提供することである。
また、本発明の目的は、衝撃を受けた後の防水性能を保証することができ、安価に製造することができる防水機器を提供することである。
【課題を解決するための手段】
【０００５】
本発明の防水機器は、筐体を構成する第１部材と、前記筐体を構成し、前記第１部材と接続される第２部材と、前記第１部材と前記第２部材との間に配置され水密状態を保つための水密部材と、前記筐体が衝撃を受ける際に、前記衝撃の大きさに関する値を検出する衝撃検出部と、前記衝撃の大きさに関する値に基づいて前記筐体が衝撃を受けた方向及び衝撃部位を特定する特定部と、前記特定部により特定された前記方向及び前記衝撃部位に基づいて、前記衝撃部位における前記水密部材の変形度合いを検出する変形検出部と、前記衝撃検出部により第１の衝撃による前記衝撃の大きさに関する値が検出された後、前記筐体が安定状態となるまでの間に、前記衝撃検出部により第２の衝撃による衝撃の大きさに関する値が検出された場合に、前記第１の衝撃による前記変形検出部の第１の出力及び前記第２の衝撃による前記変形検出部の第２の出力に基づいて保証可能な防水性能の程度を判定する防水判定部とを備えることを特徴とする。
また、本発明の防水機器は、筐体を構成する第１部材と、前記筐体を構成し、前記第１部材と接続される第２部材と、前記第１部材と前記第２部材との間に配置され水密状態を保つための水密部材と、前記筐体が衝撃を受ける際に、前記衝撃の大きさに関する値を検出する複数のセンサを備える衝撃検出部と、前記複数のセンサのそれぞれによって前記衝撃の大きさに関する値が検出される際の時間差に基づいて前記筐体が衝撃を受けた方向及び衝撃部位を特定する特定部と、前記特定部により特定された前記方向及び前記衝撃部位に基づいて、前記衝撃部位における前記水密部材の変形度合いを検出する変形検出部と、前記衝撃による前記変形検出部の出力に基づいて保証可能な防水性能の程度を判定する防水判定部とを備えることを特徴とする。
【発明の効果】
【０００６】
本発明の防水機器によれば、短時間に複数回の衝撃を受けた後において保証可能な防水性能の判定を行うことができる。
また、本発明によれば、衝撃を受けた後の防水性能を保証することができ、安価に製造することができる防水機器を提供することができる。
【図面の簡単な説明】
【０００７】
【図１】実施の形態に係るカメラの筐体の構成を示す斜視図である。
【図２】実施の形態に係るカメラのシステム構成を示すブロック図である。
【図３】実施の形態に係るカメラの保証可能な防水性能の程度の判定処理を示すフローチャートである。
【図４】実施の形態に係るカメラの加速度センサから出力された加速度を示すグラフである。
【図５】他の実施の形態に係るカメラの筐体の構成を示す斜視図である。
【発明を実施するための形態】
【０００８】
以下、図面を参照して本発明の実施の形態に係る防水機器についてカメラを例に説明する。図１は実施の形態に係るカメラの筐体の構成を示す斜視図である。カメラ２の本体を構成する筐体は前カバー６及び後カバー８から構成され、前カバー６の背面側及び後カバー８の前面側にはそれぞれ凹部が形成されている。後カバー８の上面にはカメラ２の電源をオン／オフする電源スイッチ５８、動画像や静止画像の撮影開始等を指示するためのレリーズボタン６０が設けられ、後カバー８の凹部の内側には、ねじ受け部１０、ＬＣＤ表示窓１２、シール材であるＯリング１４を嵌合させるための溝１６が凹部縁面に略沿って設けられている。また、前カバー６の凹部の内側には、後カバー８のねじ受け部１０に対向する位置に同様のねじ受け部（図示せず）が設けられている。また、筐体全体の動きを測定する３軸の加速度センサ３４，３６がカメラ２の内部の任意の位置に設けられている。ここで、図１においては、加速度センサ３４が前カバー６の上面の内側に、加速度センサ３６が前カバー６の前面の内側にそれぞれ設けられた例を示している。また、前カバー６には、筐体を組み立てる際に後カバー８の溝１６に挿入するための図示しない押さえリブが設けられている。
【０００９】
ここで、Ｏリング１４は押圧力により弾性変形し、反力に応じた面圧で溝１６の内壁および図示しない押さえリブの先端部に密着するため、筐体内部を水密状態に保持することができる。Ｏリング１４は、断面が円形であり、ニトリルゴムやフッ素ゴムなどの弾性変形量の大きい材質で構成されることが好ましい。
【００１０】
また、後カバー８のＬＣＤ表示窓１２には、ＬＣＤ保護パネル２４が取り付けられ、ＬＣＤ保護パネル２４と後カバー８との間にはシール材であるＯリング２６が配置されている。Ｏリング２６を構成する材料としては、Ｏリング１４と同様の材料を用いることができる。
【００１１】
また、カメラ２が衝撃を受けた場合に前カバー６と後カバー８との間隔の変位をそれぞれ測定する図示しない変位測定センサが設けられている。また、変位測定センサにより前カバー６及び後カバー８の撓み変形を測定してもよい。また、後カバー８のＬＣＤ表示窓１２の近傍には、カメラ２が衝撃を受けた場合の受力を測定する図示しない受力測定センサが設けられている。なお、受力測定センサに代えて、または加えて応力を測定する応力測定センサを設けてもよい。また、これらの測定対象の変位は例示であり、カメラ２が衝撃を受けた場合に発生し得るシール性能に影響する各隙間変動、シール材（Ｏリング）を囲む各構造物の変形及び相対位置変動であれば、何れの変位を測定対象としてもよい。
【００１２】
図２は、実施の形態に係るカメラのシステム構成を示すブロック図である。カメラ２はＣＰＵ３２を備え、ＣＰＵ３２には、カメラ２が受けた衝撃の大きさを測定する衝撃センサ３３、カメラ２が水中にあるか否かを検出する水検出センサ３７、カメラ２に作用する水圧を測定する圧力センサ３８、被写体光を撮像する撮像素子４０、撮影画像や種々の設定を行うためのメニュー、防水性能等を表示するＬＣＤ表示部４２の制御を行う表示制御部４４、操作部４６、ＣＰＵ３２により判定された防水性能を示すデータ及び水中での使用履歴を示すデータを記憶する履歴記憶部４８、撮像素子４０により撮像された撮影画像の画像データを記録するメモリカード５０、ＣＰＵ３２が実行するプログラム等を記憶するＲＯＭ５２、動作させるプログラム等を一時的に記憶するＲＡＭ５４、バッテリ５６が接続されている。
【００１３】
ここで、衝撃センサ３３は、カメラ２に作用する加速度の方向及び加速度の大きさを測定する加速度センサ３４、３６、図示しない上述の変位測定センサ、受力測定センサ、応力測定センサを含んで構成されている。また、操作部４６は、電源スイッチ５８、レリーズボタン６０、ＬＣＤ表示部４２にメニュー等を表示させるためのメニューボタン、メニュー項目等の選択や様々な設定時に操作される十字キー、メニュー項目等の選択や様々な設定に対する確定操作を行うためのＯＫボタン、メモリカード５０に記録された撮影画像データに基づく撮影画像をＬＣＤ表示部４２に表示させるための再生ボタン等を含んで構成されている。
【００１４】
次に、図３に示すフローチャートを参照して実施の形態に係るカメラの防水性能の判定処理について説明する。まず、ＣＰＵ３２は加速度センサ３４，３６により出力される加速度に基づいてカメラ２が衝撃を受けたか否かを判定する（ステップＳ１）。ここで、カメラ２が衝撃を受けたか否かの判定は、加速度センサ３４，３６により出力される加速度が所定の閾値を超えているか否かを判定する。
【００１５】
例えば、加速度センサ３４，３６から出力される加速度を３軸方向の成分にそれぞれ分解し、ＣＰＵ３２は、加速度センサ３４からの出力の３軸方向の成分および加速度センサ３６からの出力の３軸方向の成分のうちの何れかが閾値を超えた場合にカメラ２が衝撃を受けたと判定する。
【００１６】
図４は、カメラ２が図１の矢印６２で示す１回目の衝撃を受けた場合及び矢印６４で示す２回目の衝撃を受けた場合における、加速度センサ３４から出力される加速度のＺ方向成分、加速度センサ３６から出力される加速度のＸ方向成分を示すグラフである。図１の矢印６２で示すように１回目の衝撃を受けた場合の、加速度センサ３６から出力される加速度のＸ方向成分が、閾値α2を超えている。従って、ＣＰＵ３２はカメラ２が衝撃を受けたと判定する。なお、ＣＰＵ３２は、加速度センサ３４から出力される加速度のＺ方向成分が閾値α1を超えていることに基づいてカメラ２が衝撃を受けたと判定してもよい。
【００１７】
ここで、加速度センサ３４からの出力については、３軸方向のそれぞれの成分について閾値が設定され、加速度センサ３６からの出力については、３軸方向のそれぞれの成分について閾値が設定されている。また、この閾値は３軸方向それぞれの成分について同一であってもよいし、異なっていてもよい。また、加速度センサ３４からの出力についての閾値と、加速度センサ３６からの出力についての閾値とは、同一であってもよいし、異なっていてもよい。
【００１８】
カメラ２が衝撃を受けたと判定されると（ステップＳ１：Ｙｅｓ）、ＣＰＵ３２は衝撃モードを特定し（ステップＳ２）、衝撃の大きさを検出する（ステップＳ３）。ここで、衝撃モードには、カメラ２が衝撃を受けた方向及び衝撃を受けた部位（例えば、２６部位（８角、１２稜及び６面））が含まれる。
【００１９】
ステップＳ２において、衝撃モードは、加速度センサ３４及び加速度センサ３６から出力される加速度の立ち上がりの時間差により特定することができる。図４に示すように、カメラ２が矢印６２（図１参照）で示す１回目の衝撃を受けた場合の加速度センサ３６から出力される加速度のＸ方向成分は、加速度センサ３４から出力される加速度のＺ方向成分よりも時間Δｔ早く立ち上がっている。従って、ＣＰＵ３２は、図１の矢印６２で示す方向、即ち＋Ｘ方向から衝撃を受け、衝撃を受けた部位はカメラ２の上面、即ち加速度センサ３４が設置された面であると判定する。なお、例えば、図１に示す「△」で示す部位が衝撃を受けた部位である場合には、カメラ２の上面が衝撃を受けた部位である場合よりも、上述の時間差Δｔが小さくなる。
【００２０】
また、ステップＳ３においては、ＣＰＵ３２は図４に示す加速度センサ３４及び加速度センサ３６から出力される加速度の大きさに基づいて、カメラ２の上面において受けた衝撃の大きさを検出する。ここで、ＣＰＵ３２は衝撃の大きさからカメラ２の衝撃部位における変形量を検出することができる。衝撃部位における変形量は、例えば、ＲＯＭ５２に記憶されたプログラムにより、衝撃の大きさを用いて算出することができる。
【００２１】
次に、ＣＰＵ３２は加速度センサ３４，３６により出力される加速度に基づいてカメラ２が２回目の衝撃を受けたか否かを判定する（ステップＳ４）。ここで、ＣＰＵ３２はステップＳ１と同様の方法によりカメラ２が衝撃を受けたか否かの判定を行うことができる。例えば、図４に示すように、矢印６４（図１参照）で示す２回目の衝撃を受けた場合、加速度センサ３４から出力される加速度のＺ方向成分が閾値α1を超えている。従って、ＣＰＵ３２はカメラ２が衝撃を受けたと判定する。
【００２２】
なお、図４のグラフはステップＳ１における閾値と同一の閾値を用いる場合を示しているが、ステップＳ４において用いる閾値はステップＳ１における閾値と同一であってもよいし、ステップＳ１における閾値よりも小さい値を用いるなど、ステップＳ１における閾値と異ならせてもよい。
【００２３】
カメラ２が衝撃を受けたと判定されると（ステップＳ４：Ｙｅｓ）、ＣＰＵ３２は衝撃モードを特定し（ステップＳ５）、衝撃の大きさを検出する（ステップＳ６）。ここで、ステップＳ５においては、ＣＰＵ３２はステップＳ２と同様に加速度センサ３４及び加速度センサ３６から出力される加速度の立ち上がりの時間差によりカメラの衝撃モードの特定を行うことができる。また、ステップＳ６においては、ＣＰＵ３２はステップＳ３と同様の方法により衝撃の大きさの検出を行うことができる。
【００２４】
カメラが図１の矢印６４で示すように２回目の衝撃を受けた場合には、加速度センサ３４から出力される加速度のＺ方向成分の立ち上がりは、加速度センサ３６から出力される加速度のＸ方向成分の立ち上がりよりも早く生じている。従って、ＣＰＵ３２は、図１の矢印６４で示す方向、即ち＋Ｚ方向からの衝撃を受け、衝撃を受けた部位はカメラ２の前面、即ち加速度センサ３６が設置された面であると判定する。
【００２５】
また、ＣＰＵ３２は図４のグラフに示す加速度センサ３４及び加速度センサ３６から出力される加速度に基づいて、カメラ２の前面において受けた衝撃の大きさを検出する。
【００２６】
次に、ＣＰＵ３２はさらに加速度センサ３４，３６により出力される加速度に基づいてカメラ２が衝撃を受けたか否かを判定する（ステップＳ７）。ここで、ＣＰＵ３２はステップＳ１と同様の方法によりカメラ２が衝撃を受けたか否かの判定を行うことができる。なお、用いる閾値はステップＳ１及び／またはＳ４における閾値と同一であってもよいし、ステップＳ１及び／またはＳ４における閾値よりも小さい値を用いるなど、ステップＳ１及び／またはＳ４における閾値と異ならせてもよい。
【００２７】
ステップＳ７において、カメラが衝撃を受けないと判定された場合には、ＣＰＵ３２はカメラ２が安定状態となったと判定し、ＣＰＵ３２は保証可能な防水性能の程度を判定する（ステップＳ８）。ここで、安定状態は、加速度センサ３４，３６から出力される加速度の変化量が所定値以下である時間が所定時間以上継続する状態である。安定状態としては、カメラ２の前面、上面、底面、側面及び背面が床等に接地して静止した状態、カメラ２が使用者の手に保持されること等により、短時間内に次の衝撃を受けることがない状態などを例示することができる。
【００２８】
また、防水性能の程度は、予め解析または試験により各衝撃部位それぞれに設けられた防水性能の判定基準に基づいて判定する。防水性能の判定基準としては、例えば、衝撃を受ける部位（例えば、２６部位（８角、１２稜及び６面））ごとに防水性能が保証される衝撃の大きさが設定されている。例えば、衝撃を受ける部位ごとに１０ｍ防水が保証される衝撃の大きさ、５ｍ防水が保証される衝撃の大きさ、防水性能が保証されない（保証可能な防水性能が０ｍ）衝撃の大きさがそれぞれ設定されている。また、これらの判定基準はＲＯＭ５２に記憶された防水性能を判定するためのプログラムに含まれている。
【００２９】
なお、２回目以降の衝撃による防水性能の判定基準を行う際に、防水性能が保証される衝撃の大きさを低く設定して判定してもよい。例えば、０以上１未満の重み係数γを上記防水性能が保証される衝撃の大きさに乗ずることにより防水性能が保証される衝撃の大きさを低く設定することができる。
【００３０】
重み係数γは、例えば、複数回の衝撃を受けた場合の衝撃部位の位置関係、１つ前に受けた衝撃の規模及び１つ前に受けた衝撃からの経過時間等の影響を考慮して設定される。経過時間は、１つ前に受けた衝撃からの変形の回復程度を示す値として用いることができる。
【００３１】
なお、本明細書において「１回目の衝撃」、「複数回の衝撃」、「２回目以降の衝撃」とは、図３に示すフローチャートが開始されてからカメラ２が受けた衝撃の回数を示し、カメラ２が図３に示すフローチャートによる処理が行われる以前に受けた衝撃の回数を含まない。同様に「１つ前の衝撃」とは、図３に示すフローチャートが開始されてからカメラ２が受けた衝撃を示し、カメラ２が図３に示すフローチャートによる処理が行われる以前に受けた衝撃を含まない。また、図３に示すフローチャートによる処理が行われる以前に受けた衝撃により上述の閾値が低く設定される場合がある。
【００３２】
ＣＰＵ３２はカメラ２が受けた衝撃の大きさを上述の防水性能の判定基準により判定し、保証可能な防水性能の程度を履歴記憶部４８に記憶させる（ステップＳ９）。さらに、ＣＰＵ３２は表示制御部４４を制御してＬＣＤ表示部４２に保証可能な防水性能を表示させてもよい。
【００３３】
また、ステップＳ７において、カメラが衝撃を受けたと判定された場合には、ＣＰＵ３２はステップＳ５及びＳ６に示す処理を再度行う。即ち、カメラ２が３回目、４回目等の衝撃を受けた場合にはこの処理を行う。
【００３４】
また、ステップＳ４において、カメラが衝撃を受けないと判定された場合には、ＣＰＵ３２はカメラ２が安定状態となったと判定し、ＣＰＵ３２は保証可能な防水性能の程度を判定する（ステップＳ１０）。ステップＳ１０における判定処理は、ステップＳ８における判定処理と同様に行うことができるが、カメラ２が１回目の衝撃のみを受けた場合における判定処理であるため、防水性能が保証される衝撃の大きさを低く設定する処理を省略することができる。
【００３５】
ステップＳ１０において保証可能な防水性能の判定処理を行うと、ＣＰＵ３２は保証可能な防水性能の程度を履歴記憶部４８に記憶させる（ステップＳ９）。
【００３６】
また、ステップＳ１においてカメラ２が衝撃を受けないと判定されると、ステップＳ１に示す処理を再度行う。
【００３７】
図３に示す保証可能な防水性能の判定処理を終了すると、ＣＰＵ３２は、履歴記憶部４８に記憶されている保証可能な防水性能の程度（防水性能を保証することができる水深：以下、「使用可能水深」ともいう。）を読み出す。そして、ＣＰＵ３２は水検出センサ３７の出力に基づいてカメラ２が水中にあると判断した場合には、圧力センサ３８の出力に基づいて検出されるカメラ２の現在の水深と使用可能水深とを比較し、現在の水深が使用可能水深を超えたか否かを判断する。現在の水深が使用可能水深を超えた場合には、ＣＰＵ３２は表示制御部４４を制御して、現在の水深が保証範囲をオーバーした旨の警告をＬＣＤ表示部４２に表示させる制御、または、バッテリ５６からの給電を停止させてカメラ２の使用を禁止させる制御等を行う。
【００３８】
上述の実施の形態に係るカメラによれば、短時間に複数回の衝撃を受けた後において保証可能な防水性能の判定を行うことができる。
【００３９】
また、上述の実施の形態に係るカメラによれば、衝撃を受けた後の防水性能を保証することができるカメラを、安価に製造することができる。即ち、２つの加速度センサなど、少ない個数のセンサにより衝撃モードの特定及び保証可能な防水性能の程度の判定を行うことができる。また、加速度センサを用いる場合には、カメラ２の縦位置撮影または横位置撮影の判定のために設けられている加速度センサを衝撃モードの特定及び保証可能な防水性能の判定にも用いることができる。従って、衝撃モードの特定及び保証可能な防水性能の程度の判定を行うための専用の部材を設けることなく、衝撃モードの特定及び保証可能な防水性能の程度の判定を行うことができる。
【００４０】
上述の実施の形態においては、加速度センサを用いて衝撃モードの特定及び保証可能な防水性能の判定を行う構成を例に説明したが、加速度センサに代えて、または加えて変位測定センサ、受力測定センサ及び応力測定センサ等を用いてもよし、これらのセンサのうちの２つ以上を含むセンサグループを用いてもよい。
また、上述の実施の形態において、３軸の加速度センサを用いる構成として説明したが、単軸の加速度センサを組み合わせて用いる構成としてもよい。
【００４１】
さらに、カメラ２の筐体において衝撃を受ける部位（例えば、２６部位（８角、１２稜及び６面））にはそれぞれ図示しない受力測定センサ２８または応力測定センサ３０が設けられている。この場合に、１つの部位（１つの角や１つの面など）に複数のセンサを設けてもよい。
【００４２】
また、上述の図１における加速度センサを配置する数及び位置は一例であり、これに限られるものではない。例えば、図５に示すように、加速度センサ３６が後カバー８の背面の内側に設けてもよい。この場合には、矢印６６で示すように１回目の衝撃を受けた場合、加速度センサ３４が設けられた位置と衝撃部位との距離よりも、加速度センサ３６が設けられた位置と衝撃部位との距離の方が短くなる。そのため、加速度センサ３４から出力される加速度は、加速度センサ３６から出力される加速度よりも先に立ち上がる。従って、ＣＰＵ３２は、図５の矢印６６で示す方向から衝撃を受け、衝撃を受けた部位はカメラ２の前面であると判定する。
【００４３】
また、矢印６８で示すように２回目の衝撃を受けた場合には、衝撃部位は、加速度センサ３４及び加速度センサ３６から略等距離となるため、加速度センサ３４及び加速度センサ３６から出力される加速度の立ち上がりは略同時となる。ここで、加速度センサ３４及び加速度センサ３６から出力される加速度の大きさは、Ｘ方向成分及びＹ方向成分がＺ方向成分に比べて大きくなるため、ＣＰＵ３２は図５の矢印６８で示す方向から衝撃を受けたと判定する。
【００４４】
上述の実施の形態においては、防水性能を正確に評価する観点から、シール材の周囲における筐体の構造強度の不均一性を考慮して相対的に強度の弱い位置に変位、外力、応力、歪変形、歪応力等を測定するセンサを設けてもよい。
【００４５】
上述の実施の形態において、ＣＰＵ３２は、加速度センサ３４からの出力の３軸方向の成分および加速度センサ３６からの出力の３軸方向の成分のうちの何れかが閾値を超えた場合にカメラ２が衝撃を受けたと判定する構成としたが、これらの成分のうち所定の組み合わせの成分が閾値を超えたにカメラ２が衝撃を受けたと判定する構成としてもよい。
【符号の説明】
【００４６】
２…カメラ、６…前カバー、８…後カバー、１４…Ｏリング、３２…ＣＰＵ、３３…衝撃センサ、３４，３６…加速度センサ
【図１】
2014235389.tif 000003
【図２】
2014235389.tif 000004
【図３】
2014235389.tif 000005
【図４】
2014235389.tif 000006
【図５】
2014235389.tif 000007